(57)【要約】【課題】簡単な構成でコインを投入して施錠を解除して入れ、気軽に化粧・着替え・有料トイレ・会議・休憩・昼寝・シャワールーム等を行えるコインルームシステムを得る。【解決手段】部屋に扉を設け、この扉に施錠手段を設け、この扉に施錠手段を設け、この施錠手段に所定時間内の使用代金を投入すると解錠される課金手段を設け、解錠してから所定時間後に施錠するタイマーと、扉内側から追加代金を前記課金手段に投入できるようにし、顧客が代金を投入して扉を解錠し、中に入って化粧・着替え・有料トイレ等を行え、所定時間をオーバーするとタイマーにより扉が施錠され追加料金を支払わないと中から出られないコインルームシステムが得られる。【選択図】　　　　図１
2004062847.tif 000002
【特許請求の範囲】
【請求項１】
コインルームを構成する１つの構成単位に通常時は施錠されている施錠手段を設け、この施錠手段に使用代金を投入すると解錠される課金手段を設けたことを特徴とするコインルームシステム。
【請求項２】
部屋に扉を設け、この扉に通常時は施錠されている施錠手段を設け、この施錠手段に使用代金を投入すると解錠される課金手段を設けたことを特徴とするコインルームシステム。
【請求項３】
前記課金手段に、解錠してから所定の時間後に施錠するタイマーと、追加代金を前記課金手段に投入できるようにしたことを特徴とする請求項１又は請求項２のいずれかに記載のコインルームシステム。
【請求項４】
前記構成単位又は扉を、解放したまま解放設定時間を経過すると警報を発する警報手段を設けたことを特徴とする請求項１乃至請求項３のいずれかに記載のコインルームシステム。
【請求項５】
前記課金手段にカード読取装置を設けたことを特徴とする請求項１乃至請求項４のいずれかに記載のコインルームシステム。
【請求項６】
前記課金手段に携帯電話・ＰＨＳの番号確認通知装置を設けたことを特徴とする請求項１乃至請求項５のいずれかに記載のコインルームシステム。
【発明の詳細な説明】
【０００１】
【発明の属する技術分野】
本発明は、コインの投入により扉が開けて、化粧・着替え・トイレ・会議・休憩・昼寝・シャワールーム等に利用できるコインルームシステムに関するものである。
【０００２】
【従来の技術】
従来、一般的な有料制でスペースを利用するものにコインを投入して施錠できるコインロッカーシステムがあった。しかし、本願のような有料制で利用者が中に入って化粧・着替え・トイレ・会議・休憩・昼寝・シャワールーム等に利用できるコインルームシステムはなかった。
【０００３】
【発明が解決しようとする課題】
従来のコインロッカーシステムをそのまま利用者が入れるように大きくしたとしても、扉は開いており出入り自由で課金出来ず、利用者が中に入って化粧・着替え・トイレ・会議・休憩・昼寝等に利用しようとしても中から施錠できなかった。
【０００４】
本発明の目的は、利用者が代金を投入すると扉が開いてコインルーム内に入り、化粧・着替え・トイレ・会議・休憩・昼寝・シャワールーム等に利用でき、また、所定の時間を経過すると施錠されるので追加料金を支払って施錠を解き扉を開けて外に出られるコインルームシステムを提供することである。
【０００５】
【課題を解決するための手段】
請求項１のコインルームシステムは、コインルームを構成する１つの構成単位に通常時は施錠されている施錠手段を設け、この施錠手段に使用代金を投入すると解錠される課金手段を設ける。構成単位はユニットパネル、ドア、間仕切り等が考えられる。
【０００６】
請求項２のコインルームシステムは、部屋に扉を設け、この扉に通常時は施錠されている施錠手段を設け、この施錠手段に使用代金を投入すると解錠される課金手段を設ける。
【０００７】
請求項３のコインルームシステムは、課金手段に、解錠してから所定の時間後に施錠するタイマーと、追加代金を前記課金手段に投入できるようにする。
【０００８】
請求項４のコインルームシステムは、構成単位又は扉を、解放したまま解放設定時間を経過すると警報を発する警報手段を設ける。
【０００９】
請求項５のコインルームシステムは、課金手段にカード読取装置を設ける。
【００１０】
請求項６のコインルームシステムは、課金手段に携帯電話・ＰＨＳの番号確認通知装置を設ける。
【００１１】
【発明の実施の形態】
以下、本発明の実施例を図１乃至図７を参照して詳細に説明する。
【００１２】
図１、図２はコインルームシステムの一例を示す外観図である。図１、図２、図７において、１は化粧・着替え・トイレ・会議・休憩・昼寝等に利用するための閉じられた空間を構成する板金、パーティション等で作成されたコインルームであり、１ａは建築物の壁、２は課金手段である利用代金を利用者に投入させる課金装置、３は課金装置２に連動し、通常時施錠されており代金投入により解錠する施錠装置、４は施錠装置３に連動し、代金投入による解錠から所定時間経過後再び施錠するタイマー、５は課金装置２、施錠装置３、タイマー４などが予め設けられた規格品の扉、５ａは扉又はアコーディオンパーティション、６は扉５に設けられた開口部、７は開口部６に設けられた例えば透明な窓ガラス又はプラスチック板の入った窓、８は扉５に取り付けられたドアクローザ、９は扉５に取り付けられた扉を解放したままであれば所定時間で警報を発する警報手段、１０は課金装置２に連動し、代金投入により照明される照明装置、１１はコインルーム１の使用目的と設備が扉５に表示された表示板、１２はコインルーム１の天井に設けられた換気口、１３は扉５に設けられたノブである。７ａはスリットである。１４はキャッシュカード、クレジットカード、会員カード等のカード読取装置、１５は携帯電話及び又はＰＨＳの、番号確認通知装置である。
【００１３】
図３、図４、図５はコインルームシステムの電気回路構成の一例を示すブロック図である。
【００１４】
図４において、課金手段にカード読取装置１４を設けクレジットカード、キャッシュカードから代金を引き落とせれば、身元が特定され安全性が増すので銀行等に設置しやすくなる。さらに、図５において課金手段に携帯電話・ＰＨＳの番号確認通知装置１５を設けても同様の効果が期待できる。
【００１５】
コインルーム１内には図示しない化粧・着替え・トイレ・会議・休憩・昼寝・シャワールーム等のための、例えば化粧台、服掛け、便器、テーブルと椅子、応接セット、ベッドなどが目的に応じて備えられ、その設備内容が分かりやすく扉の表示板１１に描かれている。
【００１６】
図１〜図３において動作を説明すると、利用者は扉５の表示板１１を見て、利用目的に応じ空いているコインルーム１を選択し課金装置２に所定の代金を投入する。すると施錠されていた扉５の施錠装置３が解錠されノブ１３を回して中に入ることが出来る。このとき解錠と同時に照明装置１０がルーム内を照明する。利用者が中に入るとドアクローザ８により扉５が自動的に閉まるが、何かを扉５に挟んで開けたままで使用しようとすると警報装置９が警報音を発する。このため利用者は確実に扉５を閉めることとなり、課金装置２も正常に動作する。
【００１７】
中で化粧・着替え・トイレ・会議・休憩・昼寝・シャワールーム等の用が済むとそのまま扉５を開けて出られるが、使用時間が長引いて所定の時間経過すると施錠されてしまうので、追加料金を課金装置２に中から投入して開錠してから扉を開けて出ることになる。会議・休憩・昼寝・シャワールーム等には付属として、トルマリンの微粉末を塗布した、あるいは電子式のマイナスイオン発生装置等を設けリフレッシュ空間としたり、環境音楽と良い香り発生装置によるいやしの施設、装置を付加したり、風水などの占い装置を付加したりして目的に応じた空間サービスが可能となる。
【００１８】
会議・待ち合わせなどの場合制限時間内であれば、内側から扉５を開けることにより継続使用が可能としておけば利便性が増すことになる。さらに遅れてくるメンバー、トイレ等のために中座したりのため、予想される追加料金を最初に課金装置２に投入しておくと会議に夢中になっていても外から扉５を開けられることができるようにするとより利便性が増す。
【００１９】
また、課金手段にカード読取装置１４を設ければ、代金の持ち合わせがなくても使え、課金、あるいは無料の両対応可能な利用者の身元確認が出来、防犯上安全なコインルームシステムが得られる。ここで言うカード読取装置１４は課金、あるいは無料の両対応可能な利用者の身元確認が出来るキャッシュカード、クレジットカード及び登録時に住所を届けておけば簡易的に利用者の身元確認が出来る各種会員カードが考えられる。さらにはカード読取装置１４に代えて無料又は有料の金属又はプラスチック製の貸し出しコイン又はホテル等の鍵に付いているタグを認識する臨時貸出物認識装置としても良い。これらの臨時貸出物が簡易ＩＤ認識となって便利がよい。公共の図書館などではコインルームシステムを無料サービスとしたい場合に、図書カード認識装置を設ければコインルームシステムが図書カード所持者のみに限られて浮浪者のたまり場にならない。
【００２０】
さらに、課金手段に携帯電話・ＰＨＳの番号確認通知装置１５を設ければ、利用者の身元確認が出来、防犯上安全なコインルームシステムが得られるので、例えば銀行などにも設置しやすくなる。さらには携帯電話・ＰＨＳの番号確認通知装置１５を通じて利用者の銀行口座に接続して代金引き落としを行うと利用者の身元確認の両方が同時に行えるコインルームシステムが得られる。
【００２１】
図６、図７はコインルームシステムの一例を示す外観図である。１６はレシート発行装置である。図６は課金装置２、施錠装置３、タイマー４などを予め規格品のユニットパネルに組み込んだものであり、この単位で流通、設置、工事が可能である。図７は課金装置２、施錠装置３、タイマー４などを予め規格品のドア、扉、パーティションなどに組み込んだものであり、この単位で流通、設置、工事が可能である。建築物の壁１ａに課金装置２、施錠装置３、タイマー４などを予め規格品のドア、扉、パーティションなどに組み込まれたドア、扉、パーティション５を取り付けるだけで簡単に目的のコインルームシステムが得られる。図７において、課金装置２、施錠装置３、タイマー４などが取り付けられていない規格品のドア、扉、パーティション５ａは図示しない金具にて、又は直接床及び壁に取り付けられている。さらに棒材５ｂにて壁１ａとドア、扉、パーティション５ａの上部が連結されることでトラス構造となり全体が簡単な構造で頑丈となって扉５の開閉によるぐらつき、あるいは図示しない連設された隣のコインルームシステムの扉５開閉によるぐらつきもほとんどなくなる。
【００２２】
さらに課金手段からバーコード付きのレシートを使用代金の入金時に発行するレシート発行装置１６を付け、コンビニなどではこのレシートを買い物時に渡せばレシートのバーコードをバーコードで読み込ませることでコインルームシステムの使用代金を買い物代金から割り引くようにする。そうすることで、真の顧客だけが無料でコインルームシステムを利用できる。買い物しない顧客も有料にて利用できる。よって、やんわりした利用規制が出来て、コインルームシステムの長時間独占は利用代金がかさむので長時間使用が防げ、コインルームシステムが若者などのたまり場になることがなく、トラブルの防止に役立つ。
【００２３】
【発明の効果】
以上説明したように、請求項１のコインルームシステムは、コインルームを構成する１つの構成単位に通常時は施錠されている施錠手段を設け、この施錠手段に使用代金を投入すると解錠される課金手段を設けたので、構成単位を簡単にコインルームシステムにするところに取り付け工事の簡単なコインルームシステムが得られる。
【００２４】
請求項２のコインルームシステムは、部屋に扉を設け、この扉に通常時は施錠されている施錠手段を設け、この施錠手段に使用代金を投入すると解錠される課金手段を設け、解錠してから所定の時間後に施錠するタイマーと、扉内側から追加代金を前記課金手段に投入できるようにしたので、顧客が代金を投入して扉を解錠し、中に入って化粧・着替え等を行えるコインルームシステムが得られる。
【００２５】
請求項３のコインルームシステムは、課金手段に、解錠してから所定の時間後に施錠するタイマーと、追加代金を前記課金手段に投入できるので、時間制の顧客回転率の良いコインルームシステムが得られる。
【００２６】
請求項４のコインルームシステムは、構成単位又は扉を、解放したまま解放設定時間を経過すると警報を発する警報手段を設けたので、顧客の構成単位又は扉を、解放したままの不正使用を防ぐコインルームシステムが得られる。
【００２７】
請求項５のコインルームシステムは、課金手段にカード読取装置を設けたので、代金の持ち合わせがなくても使え、課金、あるいは無料の両対応可能な利用者の身元確認が出来、防犯上安全なコインルームシステムが得られる。
【００２８】
請求項６のコインルームシステムは、課金手段に携帯電話・ＰＨＳの番号確認通知装置を設けたので、利用者の身元確認が出来、防犯上安全なコインルームシステムが得られる。
【図面の簡単な説明】
【図１】コインルームシステムの一例を示す外観図である。
【図２】コインルームシステムの一例を示す外観図である。
【図３】コインルームシステムの一例を示すブロック図である。
【図４】コインルームシステムの一例を示すブロック図である。
【図５】コインルームシステムの一例を示すブロック図である。
【図６】コインルームシステムの一例を示す外観図である。
【図７】コインルームシステムの一例を示す外観図である。
【符号の説明】
１　コインルーム
１ａ　壁
２　課金装置
３　施錠装置
４　タイマー
５、５ａ　扉
５ｂ　棒材
６　開口部
７　窓ガラス
８　ドアクローザ
９　警報手段
１０　照明装置
１１　表示板
１２　換気口
１３　ノブ
１４　カード読取装置
１５　携帯電話・ＰＨＳ番号確認通知装置
１６　レシート発行装置
【図１】
2004062847.tif 000003
【図２】
2004062847.tif 000004
【図３】
2004062847.tif 000005
【図４】
2004062847.tif 000006
【図５】
2004062847.tif 000007
【図６】
2004062847.tif 000008
【図７】
2004062847.tif 000009